【事件の表示】
　特願２００５−１８１９６４号「冷蔵庫」拒絶査定不服審判事件〔平成１９年１月１１日出願公開、特開２００７−３０６０号〕について、次のとおり審決する。
【結　論】
　本件審判の請求は、成り立たない。
【理　由】
第１　手続の経緯  
　本願は、平成１７年６月２２日の出願であって、平成２２年７月１４日付け（発送日：同２０日）で拒絶査定がなされ、これに対し、平成２２年１０月８日に拒絶査定不服審判の請求がなされるとともに、審判請求と同時に手続補正がなされたものである。
　  
第２　平成２２年１０月８日付けの手続補正についての補正却下の決定
［補正却下の決定の結論］
　平成２２年１０月８日付けの手続補正（以下「本件補正」という。）を却下する。
　
［理由］
１．補正後の本願発明
　本件補正により、請求項１は次のように補正された。
「冷蔵庫本体と、前記冷蔵庫本体に備えられ低温温度帯に設定が可能な貯蔵室と、前記貯蔵室
の天面に凹部を設け、前記凹部に配置した
ものであって、前記紫外光源を覆う透光性のカバーを有し、前記カバーは前記貯蔵室の天面よりも出っ張っている凸部を備え、前記凸部は平面部と傾斜部とを有したもので、前記平面部は前記紫外光源の直下に位置して光を照射し、前記傾斜部は前記紫外光源の光を前記貯蔵室内の横方向に拡散させる
　
２．補正の目的  
　本件補正は、補正前の請求項１に記載した発明を特定するために必要な事項である紫外光源について「貯蔵室の天面に凹部を設け、前記凹部に配置した」ものであることを限定するとともに、冷蔵庫が「紫外光源を覆う透光性のカバーを有し、前記カバーは前記貯蔵室の天面よりも出っ張っている凸部を備え、前記凸部は平面部と傾斜部とを有したもので、前記平面部は前記紫外光源の直下に位置して光を照射し、前記傾斜部は前記紫外光源の光を前記貯蔵室内の横方向に拡散させる」ものであることを限定するものであり、かつ、補正前の請求項１に記載された発明と補正後の請求項１に記載される発明は、産業上の利用分野及び解決しようとする課題が同一であるので、本件補正は、平成１８年法律第５５号改正附則第３条第１項によりなお従前の例によるとされる同法による改正前の特許法（以下「改正前特許法」という。）第１７条の２第４項第２号の特許請求の範囲の減縮を目的とするものに該当する。
　
　そこで、本件補正後の前記請求項１に記載された発明（以下「本願補正発明」という。）が特許出願の際独立して特許を受けることができるものであるか（改正前特許法第１７条の２第５項において準用する同法第１２６条第５項の規定に適合するか。）について以下に検討する。
　
３．引用例
（１）引用例１
　原査定の拒絶の理由に引用された、特開２００３−２８７３５７号公報（以下「引用例１」という。）には、図面と共に次の事項が記載されている。
ア．段落【０００１】
「【発明の属する技術分野】本発明は、冷蔵庫に係るもので、特に
庫内に温度切替室を設けた冷蔵庫に関する
イ．段落【０００４】〜【０００６】
「【発明が解決しようとする課題】しかしながら、上記の温度切替室においては、貯蔵食品によっては臭気を発生し或は雑菌等が付着したまま貯蔵される場合がある。このような場合には、温度切替室内に臭気が充満するのみならず他の貯蔵食品に悪臭が移り、又腐敗やカビ発生等の原因になる。
　本発明は、このような従来の冷蔵庫における温度切替室の問題点を解消するためになされ、その目的は
温度切替室内で脱臭・除菌が行えるようにした冷蔵庫
【課題を解決するための手段】上記の目的を達成するために、請求項１の発明は、
庫内に温度切替室を設け、この温度切替室内の温度を予め設定された複数の温度のいずれか選択された温度に制御する冷蔵庫において、この温度切替室内に紫外線ランプを設けた
紫外線ランプから貯蔵食品に紫外線を照射し、貯蔵食品に付着している雑菌等を殺菌することができる
ウ．段落【００１２】〜【００１６】
「【発明の実施の形態】次に、本発明に係る冷蔵庫の実施形態について添付図面を参照しながら説明する。図１は、本発明に係る冷蔵庫の実施形態を示す概略断面図であり、庫内に冷蔵室Ｒ、野菜室Ｖ、温度切替室Ａ及び冷凍室Ｆが設けられている。Ｃはコンプレッサである。
　冷蔵室Ｒと野菜室Ｖとを含む領域と、温度切替室Ａと冷凍室Ｆとを含む領域とは上下に分割され、上部領域の背面側に設けられた上部通気路１内には上部領域用の冷却器２と回転ファン３とが配設され、下部領域の背面側に設けられた下部通気路４内には下部領域用の冷却器５と回転ファン６とが配設されている。即ち、この場合は、上下の領域で専用の冷却器２，５が設けられ、上部領域と下部領域とがそれぞれ別個に冷却される方式（ダブル冷却システム）にしてある。
　
温度切替室Ａは、冷却温度を少なくとも冷凍帯（−１８℃前後の温度）と氷温帯（−２℃〜＋１℃）とを含む一定の範囲（例えば、−１７℃〜＋３℃）に調節できるようにしてあり、貯蔵食品に合わせて冷却温度を適温に設定する
　又、温度切替室Ａは、図２のように引き出し式のケース７が出入自在に設けられ、且つ
温度切替室Ａの上壁には紫外線ランプ８が設けられている
紫外線ランプ８は、温度切替室Ａ内に紫外線を照射できるようにしてあり、これによりケース７内の貯蔵食品に付着している雑菌等を殺菌する
　この場合、紫外線ランプ８は、温度切替室Ａの上壁に取り付けたが、この位置に限定されずに
ケース７に対して紫外線を効率良く照射できる位置であれば他の箇所であっても構わない
紫外線ランプ８の形状は限定されず、球型のもの、丸型直管状のもの又は発光面が平面状のものを使用できる
　
　これら記載事項、図示内容を総合し、本願補正発明の記載ぶりに則って整理すると、引用例１には、次の発明（以下「引用発明」という。）が記載されている。
　 
「冷蔵庫本体と、庫内に設けられ−１７℃〜＋３℃に調節できる温度切替室Ａと、前記温度切替室Ａの上壁に設けられた紫外線ランプ８とを備え、前記温度切替室Ａは氷温帯（−２℃〜＋１℃）、および前記氷温帯よりも低い冷凍帯（−１８℃前後の温度）に温度設定可能な温度切替室Ａで、紫外線ランプ８は、温度切替室Ａ内に紫外線を照射する冷蔵庫。」
　
（２）引用例２
　原査定の拒絶の理由に引用された、特開平７−２６０３３３号公報（以下「引用例２」という。）には、図面と共に次の事項が記載されている。
ア．段落【０００１】
「【産業上の利用分野】本発明は、野菜や果物の長期保存を可能とした冷蔵庫に関する。」
イ．段落【０００６】
「【課題を解決するための手段】本発明の
冷蔵庫は、本体内に食品等を貯蔵する貯蔵室を具備するものであって、前記貯蔵室内に、紫外線が照射される
ウ．段落【００２２】〜【００２３】
「まず、野菜室９の天井部を構成する仕切壁５は、本体（断熱箱体）１に一体に設けられており、内箱３の内部に断熱材４を充填して構成されている。この仕切壁５の下面部つまり
野菜室９の天井面部の前寄り部位には、横方向に長い矩形状の凹部２０が設けられている。そして、この凹部２０部分に、ユニット化されたガス除去装置１９が取付けられる
　
このガス除去装置１９は、ケース２１内に、ガス分解部材２２と、紫外線光源となるランプ２３とを備えて構成されている
エ．図１、図２には、ランプ２３が凹部２０に配置されることが図示されている。
　
４．対比  
　本願補正発明と引用発明とを対比すると、構造、機能または作用等からみて、後者の「庫内に設けられ−１７℃〜＋３℃に調節できる」「温度切替室Ａ」は、前者の「冷蔵庫本体に備えられ低温温度帯に設定が可能な」「貯蔵室」に相当し、以下同様に、「温度切替室Ａの上壁」は「貯蔵室の天面」に、「紫外線ランプ８」は「紫外領域の波長範囲を有する」「紫外光源」に、それぞれ相当する。また、後者の「上壁に設けられた紫外線ランプ８」は「天面に配置した紫外光源」ということができる。
　さらに、後者の「氷温帯（−２℃〜＋１℃）」は、前者の「−３℃から０℃の温度帯を主とするチルドやパーシャルフリージング温度帯」に相当し、後者の「前記氷温帯よりも低い冷凍帯（−１８℃前後の温度）」は前者の「前記温度帯よりも低い冷凍温度帯」に相当するから、後者の「温度切替室Ａ」は前者の「切替室」に相当する。
　そして、後者の「紫外線ランプ８は、温度切替室Ａ内に紫外線を照射する」ことと、前者の「前記切替室が前記チルドやパーシャルフリージング温度帯に設定された場合は前記紫外光源を点灯し、前記冷凍温度帯に設定された場合は前記紫外光源を消灯する」ことは、「切替室は紫外光源の光を照射される」という限りで一致する。
　そうすると、本願補正発明の用語を用いて表現すると、両者は次の点で一致する。
　
（一致点）  
「冷蔵庫本体と、前記冷蔵庫本体に備えられ低温温度帯に設定が可能な貯蔵室と、前記貯蔵室の天面に配置した紫外領域の波長範囲を有する紫外光源とを備え、前記貯蔵室は−３℃から０℃の温度帯を主とするチルドやパーシャルフリージング温度帯、および前記温度帯よりも低い冷凍温度帯に温度設定可能な切替室で、前記切替室は前記紫外光源の光を照射される冷蔵庫。」  
　
　そして、両者は次の点で相違する。 
（相違点１）  
　紫外光源が、本願補正発明では、貯蔵室の天面に凹部を設け、前記凹部に配置したものであるのに対し、引用発明では、温度切替室Ａの上壁に設けられたものである点。
（相違点２）  
　本願補正発明では、切替室がチルドやパーシャルフリージング温度帯に設定された場合は紫外光源を点灯し、冷凍温度帯に設定された場合は前記紫外光源を消灯するものであるのに対し、引用発明では、紫外線ランプ８は、温度切替室Ａ内に紫外線を照射するものであるものの、点灯、消灯について明らかでない点。
（相違点３）  
　本願補正発明では、紫外光源を覆う透光性のカバーを有し、前記カバーは貯蔵室の天面よりも出っ張っている凸部を備え、前記凸部は平面部と傾斜部とを有したもので、前記平面部は前記紫外光源の直下に位置して光を照射し、前記傾斜部は前記紫外光源の光を前記貯蔵室内の横方向に拡散させるのに対し、引用発明では、紫外線ランプ８まわりの構造が明らかでない点。
　
５．相違点の判断
（相違点１について）  
　冷蔵庫において、貯蔵室に紫外線光源となるランプを設けるに際し、天井部に凹所を設けて、そこにランプを配置することは、例えば引用例２に記載のように特別な配置構造ではなく、貯蔵室の有効利用や紫外光の照射範囲等を考慮して、当業者が適宜設計し得る事項にすぎず、相違点１に係る発明特定事項とすることは当業者が引用例２に記載の事項に基づいて容易に想到し得たことである。
　
（相違点２について）  
　紫外線ランプから紫外線を照射する目的は、貯蔵室の脱臭、除菌のためであるから、照射の必要な温度帯で行えば良いことは当業者が普通に理解するところであり、菌の繁殖が予想されるチルドやパーシャルフリージング温度帯で紫外線の照射を行い、菌の繁殖が予想されない冷凍温度帯では照射を行わないようにして、相違点２に係る発明特定事項とすることは当業者が容易に想到し得たことである。
　
（相違点３について）  
　紫外光源を透明のカバーで保護することは、例えば、特開２００２−２６７３４８号公報（透光性のカバー２６ｄ）、特開２００２−１６８５６０号公報（ランプカバー８９）に見られるように周知であり、また、紫外線の照射光を全体に行き渡らせるために拡散させることも、特開平９−９４１号公報（図３、基体１の内側表面）、特開２００１−８２８６９号公報（段落【００１０】）周知である。さらに、光源を覆うカバーの形状として平面部と傾斜部とを有したものも、特開２００３−３１７５２４号公報に見られるように、光源を覆うカバーの形状として特別な形状ではない。
　してみると、引用発明は紫外光源の照射により、貯蔵室の脱臭、除菌を行うものであって、効率良く照射すること（記載ウ参照。）は、当業者が当然考慮する事項であるから、光源を覆うカバーの形状として貯蔵室の天面よりも出っ張っている凸部を備え、凸部は平面部と傾斜部とを有したものとし、平面部は紫外光源の直下に位置して光を照射し、傾斜部は前記紫外光源の光を前記貯蔵室内の横方向に拡散させるようにして、上記相違点３に係る発明特定事項とすることは、当業者が容易に想到し得たことである。
　
　そして、本願補正発明による効果も、引用発明、引用例２に記載の事項及び周知技術から当業者が予測し得た程度のものであって、格別のものとはいえない。 
　
　したがって、本願補正発明は、引用発明、引用例２に記載の事項及び周知技術に基づいて、当業者が容易に発明をすることができたものであるから、特許法第２９条第２項の規定により、特許出願の際独立して特許を受けることができない。
　
６．むすび  
　以上のとおり、本件補正は、改正前特許法第１７条の２第５項において準用する同法第１２６条第５項の規定に違反するので、同法第１５９条第１項において読み替えて準用する同法第５３条第１項の規定により却下すべきものである。  
　
第３　本願発明
　本件補正は、上記のとおり却下されたので、本願の請求項１に係る発明（以下、同項記載の発明を「本願発明」という。）は、平成２２年４月１６日付け手続補正書により補正された特許請求の範囲の請求項１に記載された事項により特定される、以下のとおりのものである。
「冷蔵庫本体と、前記冷蔵庫本体に備えられ低温温度帯に設定が可能な貯蔵室と、前記貯蔵室に備えられた紫外領域の波長範囲を有する紫外光源とを備え、前記貯蔵室は−３℃から０℃の温度帯を主とするチルドやパーシャルフリージング温度帯、および前記温度帯よりも低い冷凍温度帯に温度設定可能な切替室で、前記切替室が前記チルドやパーシャルフリージング温度帯に設定された場合は前記紫外光源を点灯し、前記冷凍温度帯に設定された場合は前記紫外光源を消灯することを特徴とする冷蔵庫。」
　
第４　引用例の記載事項  
　原査定の拒絶の理由に引用された引用例、その記載事項及び引用発明は、前記「第２　３．」に記載したとおりである。
　
第５　対比・判断
　本願発明は、前記「第２　１．」の本願補正発明から、紫外光源について「貯蔵室の天面に凹部を設け、前記凹部に配置した」ものであるとの限定を省くとともに、冷蔵庫が「紫外光源を覆う透光性のカバーを有し、前記カバーは前記貯蔵室の天面よりも出っ張っている凸部を備え、前記凸部は平面部と傾斜部とを有したもので、前記平面部は前記紫外光源の直下に位置して光を照射し、前記傾斜部は前記紫外光源の光を前記貯蔵室内の横方向に拡散させる」ものであるとの限定を省いたものである。
　そうすると、本願発明の発明特定事項をすべて含み、さらに、他の発明特定事項を付加したものに相当する本願補正発明が、前記「第２　５．」に記載したとおり、引用発明、引用例２に記載の事項及び周知技術に基づいて、当業者が容易に発明をすることができたものであるから、本願発明も、同様に、引用発明に基づいて、当業者が容易に発明をすることができたものである。
　
第６　むすび  
　以上のとおり、本願発明は、引用発明に基づいて、当業者が容易に発明をすることができたものであるから、特許法第２９条第２項の規定により、特許を受けることができない。 
　したがって、本願は、他の請求項について検討するまでのなく、拒絶すべきものである。
　よって、結論のとおり審決する。